(57)【要約】      （修正有）【課題】一般家庭でも簡単容易に中水利用ができる方法や安価な設備を広く普及させる技術として浴槽を水タンク代わりとし直接利用する方式の提供。【解決手段】浴槽２１の底面部または側面部に残り湯取り口２８を設け、この残り湯取り口２８が排水口２９と両方を兼用もしくはジェット水流吸い口との両方を兼用している残り湯利用手段や、残り湯取り口２８と排水口２９とが独立して配設している残り湯利用手段により浴槽２１の残り湯を洗濯機８１や便器８５に供給する。【選択図】図１
2008253706.tif 000002
【特許請求の範囲】
【請求項１】
残り湯利用手段を有する構造の浴槽で、
浴槽の底面部または低位側面部に残り湯取り口を設けた浴槽。
【請求項２】
前記底面部の残り湯取り口が排水口との両方を兼用または前記湯取り口がジェット水流吸い込み口との両方を兼用している残り湯利用手段や、
前記低位側面部の残り湯取り口がジェット水流吸い込み口との両方を兼用している残り湯利用手段や、
前記底面部の残り湯取り口と排水口とが独立し配設している残り湯利用手段を有することを特徴とする請求項１の浴槽。
【請求項３】
請求項１の浴槽に使用する浴槽栓において、
前記底面部の残り湯取り口が排水口と両方を兼用している浴槽に使用する前記弾性体の浴槽栓は、一本の鎖に前記鎖の先端部に取り付けた排水栓と段違いで連結し取り付けた残り湯栓と、前記排水栓と前記残り湯栓との段違の位置関係が前記鎖を引き前記残り湯栓が開栓しても前記排水栓が閉栓の状態を保持可能な前記弾性体の浴槽栓で、前記鎖の先端部の前記排水栓の形状が略球面体で、前記残り湯栓の下面の形状が球状面体で成型されていて雑菌遮断可能な弾性体の浴槽栓。
【請求項４】
請求項１の浴槽に使用する浴槽栓において、
前記底面部の残り湯取り口と排水口とが独立し配設している浴槽の前記残り湯取り口に雑菌遮断を目的に取り付ける弾性体の浴槽栓または押しボタン式浴槽栓。
【請求項５】
請求項１の浴槽に使用する浴槽栓において、
前記底面部の残り湯取り口が排水口と両方を兼用している浴槽に使用する前記弾性体の浴槽栓が、一本の鎖の先端部に取り付けられた排水栓のみで前記排水栓の形状が略球面体で、前記排水栓が閉栓した状態でも常に残り湯が利用可能な閉栓位置に使用する弾性体の浴槽栓。
【請求項６】
請求項１の浴槽と残り湯使用先の間を送水管で接続し、落差移送方式または動力移送方式のいずれかの残り湯移送手段に便器用水タンクの水位制御をフロートスイッチとタイマーまた残り湯上水切替弁とを組み合わせた残り湯利用システム。
【発明の詳細な説明】
【技術分野】
【０００１】  本発明は、浴槽の残り湯を残り湯利用手段と残り湯移送手段の組み合わせにより簡単容易に利用可能とする浴槽と浴槽栓および残り湯利用システムに関するものである。
【背景技術】
【０００２】  近年、居住者の多くが安全、安心また健康で快適な生活居住空間の提供を望み住宅等建物の付帯設備もかなり充実してきている。
その中で特に、人類だけが生活の快適さを得るために暖房や冷房に膨大な石油や石炭また天然ガスなどの多くのエネルギー消費し続けている。
いわゆる有限エネルギー大量消費による地球環境破壊である。
自然災害の少ない地球に優しい環境の維持継続を考えた場合、この再生不可能な貴重な地下資源である石油や石炭また天然ガスの消費をこれからも続ければ大気汚染が進み地球温暖化が加速する。【０００３】  ところで近年、地球温暖化によって生物にとって致命的な風水害や砂漠化など異常気象に伴う自然災害に見舞われる可能性が格段に高くなると言われこの異常気象が水不足の問題をさらに加速させている。【０００４】  そこで、地球環境破壊阻止に向けて誰もが身近なことからできる浴槽の残り湯利用に着目した。
各家庭では浴槽の残り湯利用に関しては洗濯水への中水利用としてかなり進んでいる。
しかし、核家族化が進むにつれて洗濯する回数も減りそのため残り湯を十分利用しないまま排水へと直接捨てられその水量も格段に多くなっている。
この解決策として２４時間浄化装置を取り付けるなど様々な商品が販売されているが高額なうえ維持費もかかり、更に２４時間浄化装置の管理は難しく浴槽で菌汚染などの問題も多いと報告されている。
また、残り湯の中水利用に関する技術情報によれば中水を一度、水タンクに溜めてから水洗便器に使用する技術情報や中水を浄化して再利用する技術公開が殆どで、その設備は複雑で大きく設備費用面からも一般家庭には不向きであった。
また、浴槽を水タンク代わりに利用し中水を洗濯機以外の用途に使用する簡単な方法や技術情報は見当たらなかった。【０００５】  次に、横浜市は地球温暖化対策地域推進計画の目標値を下記の通り打ち出している。
《２０１０年度における一人当たりの温室効果ガス排出量を、１９９０年度比で６％以上削減する。》
『家庭で今すぐにでも出来る省エネ行動として』２００７年３月広報に記載
ＣＯ２削減量ｋｇ／年間  節約金額円／年間
・エアコン  →冬は２０℃を目安に設定する            →  ２０        １、１７０
・照明      →白熱電球を電球型蛍光ランプに取り替える→  ３２        １、８５０
・電気ポット→長時間使用しないときはプラグを抜く    →  ４１        ２、３６０
・リビング  →家族が同じ部屋で団らんをする          →２４０      １１、０００
・お風呂    →お風呂は続けて入る                    →  ８４        ５、６９０
・洗濯機    →お風呂の残り湯を利用する              →  １７        ５、０００
・自動車    →急発進、急加速はやめる                →  ６５        ３、２２０
【発明の開示】
【発明が解決しようとする課題】
【０００６】  地球温暖化による異常気象が砂漠化を引き起こし水不足が確実に進むと言われている。
そこで、一般家庭でも簡単容易に中水利用ができる方法や安価な設備を広く普及させる技術として浴槽を水タンク代わりとし直接利用する方式の提供を目的とする。
【課題を解決するための手段】
【０００７】  前記目的を達成するため本発明は以下の技術的手段を講じた。
第１に、残り湯利用手段を有する構造の浴槽で、
浴槽の底面部または低位側面部に残り湯取り口を設けた浴槽とした。
第２に、前記底面部の残り湯取り口が排水口との両方を兼用または前記湯取り口がジェット水流吸い込み口との両方を兼用している残り湯利用手段や、
前記低位側面部の残り湯取り口がジェット水流吸い込み口との両方を兼用している残り湯利用手段や、
前記底面部の残り湯取り口と排水口とが独立し配設している残り湯利用手段を有することを特徴とする請求項１の浴槽とした。
第３に、請求項１の浴槽に使用する浴槽栓において、
前記底面部の残り湯取り口が排水口と両方を兼用している浴槽に使用する前記弾性体の浴槽栓は、一本の鎖に前記鎖の先端部に取り付けた排水栓と段違いで連結し取り付けた残り湯栓と、前記排水栓と前記残り湯栓との段違の位置関係が前記鎖を引き前記残り湯栓が開栓しても前記排水栓が閉栓の状態を保持可能な前記弾性体の浴槽栓で、前記鎖の先端部の前記排水栓の形状が略球面体で、前記残り湯栓の下面の形状が球状面体で成型されていて雑菌遮断可能な弾性体の浴槽栓とした。
第４に、請求項１の浴槽に使用する浴槽栓において、
前記底面部の残り湯取り口と排水口とが独立し配設している浴槽の前記残り湯取り口に雑菌遮断を目的に取り付ける弾性体の浴槽栓または押しボタン式浴槽栓とした。
第５に、請求項１の浴槽に使用する浴槽栓において、
前記底面部の残り湯取り口が排水口と両方を兼用している浴槽に使用する前記弾性体の浴槽栓が、一本の鎖の先端部に取り付けられた排水栓のみで前記排水栓の形状が略球面体で、前記排水栓が閉栓した状態でも常に残り湯が利用可能な閉栓位置に使用する弾性体の浴槽栓とした。
従って請求項３の排水栓と残り湯栓の組み合わせに対し、一本の鎖に排水栓のみとした。
第６に、請求項１の浴槽と残り湯使用先の間を送水管で接続し、落差移送方式または動力移送方式のいずれかの残り湯移送手段に便器用水タンクの水位制御をフロートスイッチとタイマーまた残り湯上水切替弁とを組み合わせた残り湯利用システムとした。
【発明の効果】
【０００８】  本発明は、浴槽を水タンク代わりに利用し、しかも残り湯の全量が利用可能な構造を有する浴槽と各種の浴槽栓を利用し簡単容易な操作だけで貴重な水資源を無駄にすることなく利用でき、しかも低価格で提供できる最大のメリットがある。
《２０１０年度における一人当たりの温室効果ガス排出量を、１９９０年度比で６％以上削減する。》
上記目標を達成するため、多くの家庭に省エネ行動を周知し実践してもらうにはその方法が簡単容易であることが最も重要でしかも低価挌で提供できる本残り湯利用システムは投資対効果も大きく普及による社会貢献が大きい。
【発明を実施するための最良の形態】
【０００９】  以下、本発明の実施の形態を図面に基づいて説明する。
図１のａ図は、底面部の残り湯取り口が排水口と兼用している残り湯利用手段の浴槽との概略図。
図２は、各種の残り湯利用手段の概念図。
ｂ図は、浴槽底面部のジェット水流吸い込み口と兼用の残り湯利用手段。
ｃ図は、浴槽低位側面部のジェット水流吸い込み口と兼用の残り湯利用手段。
ｄ図は、浴槽底面部の残り湯取り口と排水口とが独立し配設している残り湯利用手段。【００１０】  第１実施形態、図１のａ図は底面部の残り湯取り口２８が排水口２９と兼用している残り湯利用手段の浴槽２１と残り湯移送手段を有する残り湯利用システム１０の概略を図示している。
この残り湯利用手段の方法は、底面部の残り湯取り口２８と排水口２９との両方が兼用するノズル構造で排水口２９側には第一の栓の排水栓３６が、そして残り湯取り口２８側の上流で浴槽２１の底面部には第二の栓の残り湯栓３５がありその役割が異なっている。【００１１】  まず、第一の栓の排水栓３６は弾性ゴム製の略球面体でシール座部２６とは任意の位置でシール効果を発揮し鎖３７を軽く引くだけで排水できる形状の排水栓３６である。
第二の栓の残り湯栓３５は弾性ゴム製の鍔３９下面のみが球状面体で、上面は浴槽２１の底面からあまり飛び出さない湾曲面と鍔３９を有する形状の残り湯栓３５である。
この第一の栓の排水栓３６と第二の栓の残り湯栓３５は鎖３７で連結してあり、鎖３７の先端に取り付けられた第一の栓の排水栓３６と第二の栓の残り湯栓３５との連結鎖長さの位置関係は、排水栓３６のシール座部２６と残り湯利用栓３５のシール座部２５の寸法より長く残り湯栓３５を開栓した状態でも排水栓３６は閉栓した状態を保っている。
特に、残り湯栓３５を設ける一番の理由は雑菌遮断であり第二の栓の残り湯栓３５を閉栓することで残り湯取り口２８側から浴槽２１側への雑菌汚染の防止を図っている。【００１２】  次に、浴槽２１の残り湯の利用はストレーナ２７を通じて残り湯取り口２８から送水管８３、８９に接続し中水使用先へと落差移送方式または動力移送方式のいずれかを選択する残り湯移送手段を有する残り湯利用システム１０となっている。
図１のａ図の残り湯移送手段は動力移送方式の残り湯利用システム１０となっていて、洗濯機８１への中水利用は前記洗濯機８１に搭載しているポンプ８２によって送水管８３を通じて残り湯が使用できるようになっている。
洗濯機８１に残り湯移送中は上水の開閉弁８４が閉止していて上水は給水されず停止状態を保っている。
そして、浴槽２１内の残り湯がなくなりポンプ８２の空運転状態が一定時間経過すると自動的にポンプ８２は停止し開閉弁８４が開いて上水が補給される。
この仕組みは量販店の洗濯機８１には標準装備されている。【００１３】  また、便器８５へは送水ポンプ７１によって送水管８９を通じて送水される。
この残り湯の送水では制御スイッチ１５が入にしている間は残り湯上水切替弁の３方弁８６が残り湯側に切り替わっていてフロート弁８７の位置を検知する水位センサーのフロートスイッチ８８によって送水ポンプ７１の運転または停止を繰り返す。
排便後に便器８５を水洗すればフロート弁８７は下がり水位センサーのフロートスイッチ８８によって残り湯が送水補給される。その後フロート弁８７が定位置になれば水位センサーのフロートスイッチ８８によって送水ポンプ７１は停止する。
そして、浴槽２１内の残り湯がなくなり送水ポンプ７１が空運転状態で送水されないとフロートスイッチ８８が定位置に戻らない状態が続く、この状態が一定時間経過するとタイマーによって制御スイッチ１５は切れ自動的に送水ポンプ７１が停止し、同時に３方弁８６が切り替わり上水が補給される方式となっている。
上記に記載した浴槽２１から洗濯機８１への中水利用や便器用水タンクの水位制御をフロートスイッチ８８とタイマーまた残り湯上水切替弁の３方弁８６で行う方式が残り湯利用システム１０となっている。【００１４】  その後、浴槽２１またストレーナ２７を洗浄し排水栓３６と残り湯栓３５をセットして風呂が沸かされる。
入浴後は浴槽２１内に湯が残る。
翌日、浴槽２１内の残り湯を再度使用する場合は、先ず、残り湯栓３５を開栓すれば洗濯機８１で中水利用できる。
また、制御スイッチ１５を入にすることで便器８５への中水利用もできるようになる。【００１５】  第２実施形態、図２のｂ図、ｃ図、ｄ図は各種の残り湯利用手段の概念を図示している。
ｂ図は、浴槽２２底面部のジェット水流吸い込み口４２と兼用の残り湯利用手段で、ジェット水流を循環する浴槽２２のジェット水流吸い込み口４２からの送水管よりジェット水循環ポンプ９１行きと送水ポンプ７６行きに分け、前記送水ポンプ７６を使用した残り湯利用システム１１となっていて洗濯機８１や便器８５への中水利用は第１実施形態と略同様である。【００１６】  ｃ図は、浴槽２３低位側面部のジェット水流吸い込み口４３と兼用の残り湯利用手段で、ジェット水流を循環する浴槽２３のジェット水流吸い込み口４３からの送水管よりジェット水循環ポンプ９１行きと送水ポンプ７６行きに分け、前記送水ポンプ７６を使用した残り湯利用システム１２となっていて洗濯機８１や便器８５への中水利用は第１実施形態と略同様である。【００１７】  ｄ図は、浴槽２４底面部の残り湯取り口４４と排水口４５とが独立し配設している残り湯利用手段で、独立して設けた残り湯取り口４４から洗濯機８１への中水利用や落差移送方式の便器８５への中水利用の湯利用システム１３となっている。
この浴槽２４の浴槽栓は残り湯取り口４４の残り湯栓５５と排水口４５の排水栓５６の両方が簡単容易な押しボタン式浴槽栓６５、６６となっている。【００１８】  ｄ図の浴槽２４は、ｂ図の浴槽２２、ｃ図の浴槽２３とは違い残り湯栓５５で閉栓ができるので雑菌遮断可能な浴槽２４となっている。
ただ、ｂ図の浴槽２２、ｃ図の浴槽２３の場合は残り湯栓がないので残り湯利用が容易にできるメリットがある。
【産業上の利用の可能性】
【００１９】  無駄なく浴槽の残り湯や雨水を簡単容易に利用する新しい機器の開発やシステム開発に結び付けるための産業を創造し、それを具現化させ実用化することこそが地球温暖化防止と地球環境の維持保全の一番の近道であることを本発明は提示できる。
【図面の簡単な説明】
【００２０】
【図１】図１のａ図は、底面部の残り湯取り口が排水口と兼用している残り湯利用手段の浴槽との概略図。
【図２】図２は、各種の残り湯利用手段の概念図。ｂ図は、浴槽底面部のジェット水流吸い込み口と兼用の残り湯利用手段。ｃ図は、浴槽低位側面部のジェット水流吸い込み口と兼用の残り湯利用手段。ｄ図は、浴槽底面部の残り湯取り口と排水口とが独立し配設している残り湯利用手段。
【符号の説明】
【００２１】  １０、１１、１２、１３  湯利用システム
１５  制御スイッチ
２１、２２、２３、２４  浴槽
２５、２６  シール座部
２７  ストレーナ
２８、４４  残り湯取り口
２９、４５  排水口
３５、５５  残り湯栓
３６、４６、５６  排水栓
３７  鎖
３９  鍔
４２、４３  ジェット水流吸い込み口
６５、６６  押しボタン式浴槽栓
７１、７６  送水ポンプ
８１  洗濯機
８２  ポンプ
８３、８９  送水管
８４  開閉弁
８５  便器
８６  ３方弁
８７  フロート弁
８８  フロートスイッチ
９１  ジェット水循環ポンプ
【図１】
2008253706.tif 000003
【図２】
2008253706.tif 000004